(57)【要約】      （修正有）【課題】膝関節または股関節周辺における伸縮性を改善しつつ、サイドファスナの良さを大きく損なわないマリンスポーツ用スーツを提供する。【解決手段】着用者の胸部１１、腰部１２、膝部１５および脚部１３を連続して覆う伸縮性のある素材によるマリンスポーツ用スーツである。胸部１１および脚部１３における体側部分にサイドファスナを備える。サイドファスナは、胸部１１における膝部１５側を下端として上端を開放端とする胸部サイドファスナと、脚部１３における膝部１５側を上端として下端を開放端とする脚部サイドファスナ２２とからなる。膝関節部分を形成する素材は、胸部１１または脚部１３を形成する素材よりも伸縮性に優れた素材とする。【選択図】図２
0003196688.tif 000002
【実用新案登録請求の範囲】
【請求項１】
着用者の胸部、腰部、膝部および脚部を連続して覆う伸縮性のある素材によるマリンスポーツ用スーツであって、
胸部および脚部における体側部分にサイドファスナを備え、
そのサイドファスナは、胸部における膝部側を下端として上端を開放端とする胸部サイドファスナと、脚部における膝部側を上端として下端を開放端とする脚部サイドファスナとからなることとしたマリンスポーツ用スーツ。
【請求項２】
着用者の胸部、腰部、膝部および脚部を連続して覆う伸縮性のある素材によるマリンスポーツ用スーツであって、
胸部および脚部における体側部分にサイドファスナを備え、
そのサイドファスナは、胸部における腰部側を下端として上端を開放端とする胸部サイドファスナと、脚部における膝部側を上端として下端を開放端とする脚部サイドファスナとからなることとしたマリンスポーツ用スーツ。
【請求項３】
前記のサイドファスナが存在しない部位を形成する素材は、前記の胸部または前記の脚部を形成する素材よりも伸縮性に優れた素材とした請求項１または請求項２のいずれかに記載のマリンスポーツ用スーツ。
【考案の詳細な説明】
【技術分野】
【０００１】
本考案は、マリンスポーツや魚釣りなどのアウトドアで使用するマリンスポーツ用スーツに関する。
【背景技術】
【０００２】
濡れてしまうことを前提としたアウトドアスーツは、着用者の体温をできるだけ下げないようにする機能が求められる。
具体的には、主に、ドライスーツとウェットスーツの二種類がある。ドライスーツは、水の浸入をできる限り防ぐとともに浸入してしまった水を着用者の体温で温め、その温まった水は出て行きにくいようにするといった機能を備える。
ウェットスーツは、水の浸入を防ぐのではなく、所定量の水を含ませてしまい、着用者の体温で暖まったその水をできる限り保持するといった機能を備える。
【０００３】
いずれのタイプも、着用者の体表面への密着が重要である。そのため、伸縮する素材にて形成されるとともに、着脱のしやすさを考慮して線ファスナを備えている。線ファスナは、二列のテープと、そのテープに埋め込まれたエレメントと、エレメントの脱着を司るスライダとから構成されている。
【０００４】
特許文献１では、モーターボートなどのマリンスポーツ用スラックスに関する技術を開示している。
特許文献２では、着脱の容易さを達成するために脚部へ線ファスナを備えたウェットスーツに関する技術を開示している。
特許文献３では、着心地や運動性能を改善することを目的とした釣り用特殊衣服に関する技術を開示している。
【０００５】
釣り、たとえば鮎釣りのように腰上くらいまで水に浸かって行う釣りにおいては、釣り人の足首の上から胸元くらいまでを覆う釣り用ウェットスーツが提供されており、愛用者も多い。こうした釣り用ウェットスーツは、着脱の容易さのみならず、体温調節のしやすさを達成するため、線ファスナを備える位置について、いくつかの工夫がある。
たとえば、背中と脚部へそれぞれ独立した線ファスナを備えたもの、体側部分へ線ファスナを備えたもの、などがある。
近年では、着用時の体温調節のフレキシビリティ向上、着脱の容易さの追求から、体側部分へ線ファスナ（サイドファスナ）を備えたものが好まれている。他のウェットスーツよりも着脱が素早く行えるからである。
【先行技術文献】
【特許文献】
【０００６】
【特許文献１】特開２００２−５４００８号公報
【特許文献２】特開２００２−３６２４８４号公報
【特許文献３】特開平８−３１１７０７号公報
【考案の概要】
【考案が解決しようとする課題】
【０００７】
ところで、線ファスナは、ファスナとしての機能を果たすため、二列のテープはいずれも伸縮性が小さい素材が採用されている。
すなわち、サイドファスナを備えたウェットスーツでは、ウェットスーツの素地に伸縮性があったとしても、サイドファスナの周辺が伸縮性を抑制された構造となる（図６参照）。線ファスナにおけるテープの部分は、伸縮性が小さい素材だからである。
【０００８】
伸縮性が抑制されると、着心地が悪くなり、立ったり座ったりを繰り返す動きや、歩いたり上り下りをしたりといった動きにも多少の抵抗となる。前述した動きは、着用者がそけい部および膝の関節を曲げ伸ばしするため、そけい部付近および膝付近が抵抗を感じることとなる。
したがって、膝周辺やそけい部周辺といった関節周辺における伸縮性を改善しつつ、サイドファスナの良さを大きく損なわないウェットスーツが、潜在的に望まれていると言える。
【０００９】
本考案が解決しようとする課題は、膝関節または股関節周辺における伸縮性を改善しつつ、サイドファスナの良さを大きく損なわないマリンスポーツ用スーツを提供することにある。
【課題を解決するための手段】
【００１０】
（第一の考案）
第一の考案は、着用者(30)の胸部(11)、腰部(12)、膝部(15)および脚部(13)を連続して覆う伸縮性のある素材によるマリンスポーツ用スーツ(10)に係る。
胸部(11)および脚部(13)における体側部分にサイドファスナ(20)を備え、
そのサイドファスナ(20)は、胸部(11)における膝部(15)側を下端として上端を開放端とする胸部サイドファスナ(21)と、脚部(13)における膝部(15)側を上端として下端を開放端とする脚部サイドファスナ(22)とからなる。
すなわち、胸部サイドファスナ(21)は、胸部(11)から腰部(12)を通って膝部(15)の上にまで達する。
【００１１】
（作用）
脚部サイドファスナ(21)の下端は、着用者(30)の膝部(15)にまでは達しない。同様に、脚部サイドファスナ(22)の上端は、着用者(30)の膝部(15)にまでは達しない。そのため、着用者の膝の動きに対して自由度を与えられる。
胸部(11)および脚部(13)における体側部分に備えられたサイドファスナ(20)によって、着用者は脱ぎ着がしやすい。
膝部(15)にはサイドファスナ(20)が備えられていないので、横方向の伸縮性のみならず縦方向、すなわちサイドファスナ(20)の長手方向にも伸縮性が確保される。したがって、着用者が座る、歩くなど、膝を動かす動きをしても、マリンスポーツ用スーツ(10)は着用者にフィットする。
【００１２】
（第二の考案）
第二の考案は、着用者(30)の胸部(11)、腰部(12)、膝部(15)および脚部(13)を連続して覆う伸縮性のある素材によるマリンスポーツ用スーツ(10)に係る。
胸部(11)および脚部(13)における体側部分にサイドファスナ(20)を備え、
そのサイドファスナ(20)は、胸部(11)における腰部(12)側を下端として上端を開放端とする胸部サイドファスナ(21)と、脚部(13)における膝部(15)側を上端として下端を開放端とする脚部サイドファスナ(22)とからなる。
脚部サイドファスナ(21)の下端は、着用者(30)のそけい線を体側方向へ延長した線上に交差する部位にまでは達しない。
【００１３】
（作用）
胸部(11)および脚部(13)における体側部分に備えられたサイドファスナ(20)によって、着用者にとっての脱ぎ着のしやすさは確保されている。
腰部(12)および膝部(15)にはサイドファスナ(20)が備えられていないので、横方向の伸縮性のみならず縦方向、すなわちサイドファスナ(20)の長手方向にも伸縮性が確保される。したがって、着用者が座る、歩くなど、股関節および膝関節を動かす動きをしても、マリンスポーツ用スーツ(10)は着用者にフィットする。
【００１４】
（バリエーション１）
第一および第二の考案は、以下のようにすると、より好ましい。
すなわち、サイドファスナ(20)が存在しない部位を形成する素材は、胸部(11)または脚部(13)を形成する素材よりも伸縮性に優れた素材とする。
【００１５】
（作用）
胸部(11)または脚部(13)を形成する素材よりも伸縮性に優れた素材にてサイドファスナ(20)が存在しない部位を形成するので、着用者が座る、歩くなど、サイドファスナ(20)が存在しない部位を動かす動きをしても、マリンスポーツ用スーツ(10)は着用者へのフィット感を更に向上させることに寄与する。
【考案の効果】
【００１６】
第一および第二の考案によれば、膝関節または股関節周辺における伸縮性を改善しつつ、サイドファスナの良さを大きく損なわないマリンスポーツ用スーツを提供することができた。
【図面の簡単な説明】
【００１７】
【図１】第一の実施形態に係るマリンスポーツ用スーツの斜視図である。
【図２】第一の実施形態に係るマリンスポーツ用スーツの部分拡大図である。
【図３】第二の実施形態に係るマリンスポーツ用スーツの斜視図である。
【図４】第二の実施形態に係るマリンスポーツ用スーツの部分拡大図である。
【図５】第三の実施形態および第四の実施形態に係るマリンスポーツ用スーツの部分側面図である。
【図６】マリンスポーツ用スーツに採用されるサイドファスナを示す平面図である。
【考案を実施するための形態】
【００１８】
以下、本考案の実施形態について、図１から図５を参照して説明する。
図１および図２に示す第一の実施形態は、釣り人である着用者３０の胸部１１、腰部１２、大腿部１４、膝部１５および膝下部分となる脚部１３を連続して覆う伸縮性のある素材によるマリンスポーツ用スーツ１０である。本実施形態におけるマリンスポーツ用スーツ１０は、発泡性のポリウレタンなどが採用された、いわゆるウェットスーツの一種である。
【００１９】
このマリンスポーツ用スーツ１０における胸部１１および脚部１３における体側部分には、着用者３０が脱ぎ着をしやすいようにするための、線ファスナであるサイドファスナ２０を備えている。
サイドファスナ２０は、線ファスナであるから、二列のテープ部分は伸縮性が小さい素材が採用されている（図６参照）。したがって、マリンスポーツ用スーツ１０におけるサイドファスナ２０（胸部サイドファスナ２１）の近傍では、サイドファスナ２０の長手方向における伸縮性は小さい。
【００２０】
サイドファスナ２０は、マリンスポーツ用スーツ１０の縦方向に連続して備えられているのではなく、胸部１１から腰部１２および大腿部１４を貫いて膝部１５の上側を下端として上端は開放される胸部サイドファスナ２１と、脚部１３における膝部１５側を上端とするとともに下端は開放される脚部サイドファスナ２２である。すなわち、膝部１５にはサイドファスナ２０が存在しない。
【００２１】
膝部１５にはサイドファスナ２０が備えられていないので、図２に示すように、横方向の伸縮性のみならず縦方向、すなわちサイドファスナ２０の長手方向にも伸縮性が確保される。したがって、着用者である釣り人が座る、歩くなど、膝関節を動かす動きをしても、本実施形態におけるマリンスポーツ用スーツ１０は着用者にフィットする。
しかし、着脱の容易さを妨げることはない。
【００２２】
続いて、図３および図４に示す第二の実施形態について説明する。
第一の実施形態との相違点は、胸部サイドファスナ２１の下端が腰部１２の上端に位置し、脚部サイドファスナ２２の上端が脚部１３、膝部１５および大腿部１４を貫いて腰部１２の下端に位置している点である。すなわち、すなわち、腰部１２にはサイドファスナ２０が存在しない。
【００２３】
胸部サイドファスナ２１の下端は、着用者３０のそけい線を体側方向へ延長した線上に交差する部位にまでは達しない。同様に、脚部サイドファスナ２２の上端は、着用者３０のそけい線にまでは達しない。
【００２４】
腰部１２にはサイドファスナ２０が備えられていないので、図４に示すように、横方向の伸縮性のみならず縦方向、すなわちサイドファスナ２０の長手方向にも伸縮性が確保される。したがって、着用者である釣り人が座る、歩くなど、股関節を動かす動きをしても、本実施形態におけるマリンスポーツ用スーツ１０は着用者にフィットする。
しかし、着脱の容易さを妨げることはない。
【００２５】
図５（ａ）は、第三の実施形態に係るマリンスポーツ用スーツの部分側面図である。この実施形態では、第二の実施形態と異なり、大腿部および膝部を省略して脚部１３Ａを大きくしたものである。脚部サイドファスナ２２の上端は、着用者３０のそけい線を体側方向へ延長した線上に交差する部位にまでは達しない。
第二の実施形態と同様に、マリンスポーツ用スーツ１０における長手方向に沿って脚部サイドファスナ２１および脚部サイドファスナ２２を備えているが、脚部サイドファスナ２２の長さは第一の実施形態よりも長くなる。膝関節を動かす動作の自由度よりも、股関節の動かしやすさや着脱のしやすさを優先させている。
【００２６】
図５（ｂ）に示す第四の実施形態では、マリンスポーツ用スーツ１０における長手方向から少しずれ、斜めに位置させている。
図５（ｂ）に示したように、本願考案は、サイドファスナとして機能するのであれば、マリンスポーツ用スーツ１０全体（サイドライン）における長手方向に沿っていなくてもよい。
サイドファスナは、外観上のデザインにも小さくない影響を与えるが、そのデザインにおける自由度を大きく妨げるものではない。
【００２７】
前述してきた実施形態では、マリンスポーツ用スーツ１０における胸部１１、腰部１２（１２Ａ）および脚部１３（１３Ａ）とも、同一素材にて形成している。
しかし、腰部１２（１２Ａ）を形成する素材は、胸部１１または脚部１３（１３Ａ）を形成する素材よりも伸縮性に優れた素材とすると、より好ましい。着用者が座る、歩くなど、そけい部（第二の実施形態にあっては膝も）を動かす動きをした場合に腰部１２（１２Ａ）があらゆる方向へ伸縮可能なので、着用者へのフィット感が更に優れることとなるからである。
【産業上の利用可能性】
【００２８】
本考案は、釣り具の製造業、販売業またはレンタル業、アウトドアスポーツのインストラクター事業などにおいて、利用可能性を有する。
【符号の説明】
【００２９】
１０;  マリンスポーツ用スーツ          １１；  胸部
１２，１２Ａ；  腰部
１３，１３Ａ；  脚部
１４；  大腿部                            １５；  膝部
２０，２０Ａ；  サイドファスナ
２１，２１Ａ；  胸部サイドファスナ
２２，２２Ａ；  脚部サイドファスナ
３０;  着用者
【図１】
0003196688.tif 000003
【図２】
0003196688.tif 000004
【図３】
0003196688.tif 000005
【図４】
0003196688.tif 000006
【図５】
0003196688.tif 000007
【図６】
0003196688.tif 000008